(57)【特許請求の範囲】
【請求項１】
遊技盤の所定位置に１個の遊技球の直径よりも狭い間隔に定められて打込まれた釘対の存在する遊技盤を搭載するテーブルと、テーブルに搭載された上記遊技盤の所定位置における釘対の釘間隔を１個の遊技球の直径よりも広げる拡幅部と、拡幅部をテーブルに搭載された上記遊技盤の所定位置における釘対に対して昇降する駆動機構とを備えたことを特徴とする遊技盤の釘間隔調整装置。
【請求項２】
遊技盤の所定位置に１個の遊技球の直径よりも狭い間隔に定められて打込まれた釘対の存在する遊技盤を搭載するテーブルと、テーブルに搭載された上記遊技盤の所定位置における釘対の釘間隔を１個の遊技球の直径よりも広げる拡幅部と、拡幅部をテーブルに搭載された上記遊技盤の所定位置における釘対に対して昇降する駆動機構と、テーブルに搭載された上記遊技盤の所定位置における釘対の釘間隔を検出する測定手段と、この測定手段より入力された検出釘間隔と予め定めた基準釘間隔との差により演算した調整値によりテーブルに搭載された上記遊技盤の所定位置における釘対の釘間隔を１個の遊技球の直径よりも広げるように拡幅部を昇降するように駆動機構を駆動する演算手段とを備えたことを特徴とする遊技盤の釘間隔調整装置。
【請求項３】
拡幅部は左右側面が上方より下方に行くに従って徐々に間隔を狭くなる楔状に形成されたことを特徴とする請求項１又は請求項２記載の遊技盤の釘間隔調整装置。
【請求項４】
拡幅部の左右側面が拡幅部の左右方向の中心に対する同一角度の斜面として形成され、拡幅部の左右方向の中心がテーブルに搭載された遊技盤の所定位置における釘対の左右方向の中心と上下方向で同軸状に一致されるように、拡幅部が駆動機構により昇降することを特徴とする請求項３記載の遊技盤の釘間隔調整装置。
【請求項５】
拡幅部は互いに近づいたり離れたりするように互いに反対方向に移動して釘間隔を広げるための一対のアームを備えたことを特徴とする請求項１又は請求項２記載の遊技盤の釘間隔調整装置。
【請求項６】
テーブルが平面内で縦横に駆動するＸＹテーブルにより形成されたことを特徴とする請求項１又は請求項２記載の遊技盤の釘間隔調整装置。
【請求項７】
測定手段が、テーブルに搭載された遊技盤の所定位置における釘対の釘間隔を検出するための測定部と、測定部をテーブルに搭載された遊技盤の所定位置における釘対に対して昇降する駆動機構とを備えたことを特徴とする請求項２又は請求項３記載の遊技盤の釘間隔調整装置。
【請求項８】
測定部が、駆動機構で昇降される支持部と、テーブルに搭載された遊技盤の所定位置における釘対を非接触に取込むための隙間を以って相対峙するように支持部に設けられた二又に別れた先端部と、テーブルに搭載された遊技盤の所定位置における釘対の釘間隔を検出するために先端部の一方に設けられた発光部と、テーブルに搭載された遊技盤の所定位置における釘対の釘間隔を検出するために先端部の他方に設けられた受光部とを備えたことを特徴とする請求項７記載の遊技盤の釘間隔調整装置。
【発明の詳細な説明】
【０００１】
【発明の属する技術分野】
本発明はパチンコ機等の遊技盤に打込まれた釘対の間隔を調整する装置に関する。
【０００２】
【従来の技術】
パチンコ機メーカでは、ルータ加工により遊技盤に入賞口やアウト口等を穴あけし、釘打機により遊技盤に多数の遊技釘や障害釘と呼ばれる釘を打込み、その遊技盤にガイドレール、役物、入賞口、ランプ、飾り等の各種の機能部品を取付けた後、機能部品が正常に動作するか及び釘の中を遊技球が引っ掛らずに通過するか等の検査を行うことにより、遊技盤を製造している。
【０００３】
【発明が解決しようとする課題】
遊技盤の入賞口への入賞を案内する命釘、天釘、袴、袖等と呼ばれる釘対の釘間隔は、パチンコ店の営業上重要な要素であり、その日の営業目的に合せて微妙に調整される。このため、パチンコ機メーカでは釘打機に格納される釘打データ中の釘対の釘間隔を１個の遊技球の直径よりも極僅かに大きい寸法に設定してある。しかし、釘打機は、ＸＹテーブルに遊技盤を位置決め搭載し、釘打機に格納された釘打データの打込位置と順序とに従いＸＹテーブルを平面内で縦横に駆動し、遊技盤の所定位置を釘打機の釘ホルダ機構の真下に移動停止し、釘打機の釘供給部より釘ホルダ機構に供給された釘を釘打機のハンマ機構で遊技盤に打込む構造になっている。そのため、釘打機の各駆動部分における微妙な移動誤差や遊技盤の硬さ等により、釘対の釘間隔が１個の遊技球と略同一寸法又はそれより極僅かな小寸法に打込まれてしまうことがある。そして、検査工程において、釘間隔が１個の遊技球と略同一寸法又はそれより極僅かな小寸法に打込まれた釘対に遊技球を流した場合、遊技球が通る場合と遊技球が引っ掛かる場合とがある。引っ掛かた場合は検査工程で釘間隔を手で広げて調整している。けれども、遊技盤がパチンコ店に収められてから新装又は新規開店までに実施される公安委員会による立入検査において、釘対に遊技球が引っ掛かることがある。この場合には、係る釘間隔をその場で遊技球が引っ掛からないように調整しなければ、新装又は新規開店の営業許可が下りない。
【０００４】
そこで、本発明は釘間隔調整の省力化が図れる遊技機の釘間隔調整装置を提供しようとするものである。
【０００５】
【課題を解決するための手段】
請求項１に係る遊技盤の釘間隔調整装置は、遊技盤の所定位置に１個の遊技球の直径よりも狭い間隔に定められて打込まれた釘対の存在する遊技盤を搭載するテーブルと、テーブルに搭載された上記遊技盤の所定位置における釘対の釘間隔を１個の遊技球の直径よりも広げる拡幅部と、拡幅部をテーブルに搭載された上記遊技盤の所定位置における釘対に対して昇降する駆動機構とを備えたことを特徴とする。請求項２に係る遊技盤の釘間隔調整装置は、遊技盤の所定位置に１個の遊技球の直径よりも狭い間隔に定められて打込まれた釘対の存在する遊技盤を搭載するテーブルと、テーブルに搭載された上記遊技盤の所定位置における釘対の釘間隔を１個の遊技球の直径よりも広げる拡幅部と、拡幅部をテーブルに搭載された上記遊技盤の所定位置における釘対に対して昇降する駆動機構と、テーブルに搭載された上記遊技盤の所定位置における釘対の釘間隔を検出する測定手段と、この測定手段より入力された検出釘間隔と予め定めた基準釘間隔との差により演算した調整値によりテーブルに搭載された上記遊技盤の所定位置における釘対の釘間隔を１個の遊技球の直径よりも広げるように拡幅部を昇降するように駆動機構を駆動する演算手段とを備えたことを特徴とする。請求項１又は請求項２記載に係る遊技盤の釘間隔調整装置において、拡幅部は左右側面が上方より下方に行くに従って徐々に間隔を狭くなる楔状に形成されたり、拡幅部は互いに近づいたり離れたりするように互いに反対方向に移動して釘間隔を広げるための一対のアームを備えたり、テーブルが平面内で縦横に駆動するＸＹテーブルにより形成されたりしてもよい。請求項３記載に係る遊技盤の釘間隔調整装置において、拡幅部の左右側面が拡幅部の左右方向の中心に対する同一角度の斜面として形成され、拡幅部の左右方向の中心がテーブルに搭載された遊技盤の所定位置における釘対の左右方向の中心と上下方向で同軸状に一致されるように、拡幅部が駆動機構により昇降してもよい。請求項２又は請求項３に係る遊技盤の釘間隔調整装置において、測定手段が、テーブルに搭載された遊技盤の所定位置における釘対の釘間隔を検出するための測定部と、測定部をテーブルに搭載された遊技盤の所定位置における釘対に対して昇降する駆動機構とを備えてもよい。請求項７に係る遊技盤の釘間隔調整装置において、測定部が、駆動機構で昇降される支持部と、テーブルに搭載された遊技盤の所定位置における釘対を非接触に取込むための隙間を以って相対峙するように支持部に設けられた二又に別れた先端部と、テーブルに搭載された遊技盤の所定位置における釘対の釘間隔を検出するために先端部の一方に設けられた発光部と、テーブルに搭載された遊技盤の所定位置における釘対の釘間隔を検出するために先端部の他方に設けられた受光部とを備えてもよい。
【０００６】
【発明の実施の形態】
第１実施形態
図１は本発明の第１実施形態の方法を示すフローチャートであって、ステップ１０１の釘打工程において遊技盤の所定位置に釘対を１個の遊技球の直径よりも狭い間隔に打込む。これにより、釘対が遊技盤にマイナスゲージで打込まれる。この第１実施形態の場合、ステップ１０１では遊技盤が釘打機のＸＹテーブルに位置決め搭載され、釘打機がその制御部に予め記憶された当該遊技盤の機種に対応する釘打データより打込位置と順序とを抽出してＸＹテーブルを制御し、遊技盤の所定位置が釘打機の釘ホルダー機構及びハンマ機構の真下に位置決め停止され、釘打機の釘供給部より釘ホルダー機構に供給されて支持された釘をハンマ機構で遊技盤に打込むことにより、１枚の遊技盤に打つべき多数の釘を、遊技盤に１本ずつ自動的に打込む。上記釘打機に格納された釘打データ中において、遊技盤の入賞口に遊技球を誘導するための釘対の釘間隔は、１個の遊技球の直径よりも狭い間隔に定められている。
【０００７】
ステップ１０２の拡幅工程において前記遊技盤に打込まれた釘対の釘間隔を１個の遊技球の直径よりも広げる。
【０００８】
この第１実施形態の方法によれば、釘対を遊技盤に１個の遊技球の直径よりも狭い釘間隔であるマイナスゲージで打込み、その後に、釘対の釘間隔を広げることにより、メーカでの間隔検査工程並びに遊技店での釘間隔調整を容易にすることができる。
【０００９】
第２実施形態
図２は本発明の第２実施形態であって、図２は前述のステップ１０２で用いられる釘間隔調整装置を示す。図２のａ図において、釘間隔調整装置のテーブル１はコンピュータが内蔵された制御部２からの出力により１つの平面の縦横に駆動可能なＸＹテーブルとして形成されている。テーブル１には釘打込みの終了した遊技盤３がその釘の打込まれた側を上に向けて位置決め搭載される。この遊技盤３の所定位置には釘対４が１個の遊技球５の直径Ｄ１よりも狭い間隔Ｄ２に打込まれている（Ｄ１＞Ｄ２）。釘対４を含む釘は、前述の釘打機により、遊技盤３にパチンコ店の島に設置される上の方に向けて約５°程度傾斜するように打込まれるが、図２に示すように、遊技盤３を上方より又は下方より見た場合は遊技盤３に直角に打込まる。
【００１０】
それから、遊技盤３が位置決め搭載されたことを検出する図外の遊技盤センサー、又は、当該遊技盤センサーに代えて作業者の操作でオン動作される図外のマニュアルスイッチの何れかが、遊技盤種別信号と作業開始信号とを、制御部２に出力する。すると、制御部２がその記憶装置に予め格納された当該遊技盤３の機種に対応する作業データ６より作業位置と順序とを抽出してテーブル１を縦方向のＸ方向と横方向のＹ方向とに移動するように制御し、遊技盤３の所定位置が拡幅手段７における楔状の拡幅部８の真下に位置決め停止される。拡幅部８は相対峙する左右側面８ａ，８ｂが上方より下方に行くに従って間隔を狭くすると共に拡幅部８の中心Ｌとの成す角度を同一とした斜面になっている。そして、前記テーブル１の移動停止に際し、制御部２が拡幅部８の中心Ｌと釘対４の釘間隔中心とが上下方向で同軸状に一致するようにテーブル１を制御する。
【００１１】
この状態において、制御部２が拡幅手段７の駆動機構９を制御することにより、駆動機構９が拡幅部８を釘対４に対し昇降させる。拡幅部８は駆動機構９との間で図外のガイド機構により横方向への回転が阻止された形態で駆動機構９により昇降される。この拡幅部８の下降により、図２のｂ図に示すように、拡幅部８の左右側面８ａ，８ｂが釘対４を外側に押し広げ、釘対４が遊技盤３に打込まれた根元部より外側に傾斜し、釘対４の釘間隔が１個の遊技球５の直径Ｄ１よりも大きな間隔Ｄ３に広げられる（Ｄ１＜Ｄ３）。そして、拡幅部８が上昇して釘対４と干渉しない待機位置に戻る。遊技盤３は釘対４を数ヶ所に有するので、拡幅部８が待機位置に戻った後、遊技盤３の次の釘対へのテーブル１の移動と拡幅部８の昇降とが繰返される。
【００１２】
第２実施形態の構造によれば、遊技盤３の所定位置に１個の遊技球５の直径Ｄ１よりも狭い間隔Ｄ２で打込まれた釘対４の釘間隔を、拡幅手段７により、１個の遊技球の直径Ｄ１より大きな間隔Ｄ３に自動的に広げることができる。
【００１３】
第２実施形態の場合、拡幅部８の左右側面８ａ，８ｂが中心Ｌに対する同一角度の斜面になっている。そして、テーブル２の移動停止に際し、拡幅部８の中心Ｌが釘対４の釘間隔中心と上下方向で同軸状に一致されるので、釘対４が下降する拡幅部８により同じ傾斜角度で両側に広がり、その釘対４の広がり形態の見栄えが良くなる。
【００１４】
第３実施形態
図３は本発明の第３実施形態であって、前述の拡幅手段７に代わる拡幅手段１０を示す。この拡幅手段１０は図３のａ図に示すように、駆動機構９の昇降出力端に回転アクチュエータとしてのステッピングモータのようなモータ１１を有し、モータ１１の出力端に楔状の拡幅部８を備える。モータ１１のケーシングは駆動機構９との間で図外のガイド機構により横方向への回転が阻止された形態で駆動機構９により昇降される。釘打ちが終了した遊技盤１は３本の釘よりなる複数の釘対４を有する。
【００１５】
ここで、図３のｂ図において、複数の釘対４を形成する３本の釘の１本ずつに４ａ，４ｂ，４ｃを付し、３つの釘間隔に符号ａ，ｂ，ｃを付す。これらの釘間隔ａ〜ｃは、釘打終了時には、１個の遊技球の直径より狭い間隔である。これらの間隔ａ〜ｃを拡幅手段１０により１個の遊技球の直径よりも広げる場合には、制御部２により制御されるテーブル１の移動と駆動機構９の動作とモータ１１の回転との相互の動作により、拡幅部８が間隔ａ〜ｃそれぞれを広げる。それには３つの間隔ａ〜ｃを１つずつ広げても良いが、例えば、最初に３つの間隔ａ〜ｃのうちの１つを広げ、次に残りの２つの間隔を同時に広げれば、作業時間が最小となる。
【００１６】
図３のｃ図及びｄ図を参照し、最初に広げられる間隔を間隔ａとし、次に同時に広げらる間隔を間隔ｂ，ｃとして、広げる動作について説明する。先ず、ｃ図に示すように、テーブル１の移動により、遊技盤３の所定位置が拡幅部８の真下に位置決め停止される。この場合、拡幅部８の真下には間隔ａが位置しており、ａ図のモータ１１が停止しており、拡幅部８の左右側面８ａ，８ｂが間隔ａを形成する２本の釘４ａ，４ｂに対応している。この状態において、拡幅部８がａ図の駆動機構９の動作によりｃ図の紙面の表側より裏側に向けて下降することにより、拡幅部８が２本の釘４ａ，４ｂを実線示位置より点線示位置へと押し広げる。これにより、ｂ図の間隔ａ，ｂがｄ図の間隔ａ’と大きくなる（ａ＜ａ’）。そして、拡幅部８がａ図の駆動機構９の動作によりｃ図の紙面の裏側より表側に向けて上昇して釘４ａ〜４ｃより上方の待機位置に戻る。
【００１７】
次に、ｄ図に示すように、ａ図のモータ１１が回転し、拡幅部８が回転中心Ｐを中心として一方向に９０°回転した所で停止し、左右側面８ａ，８ｂの何れか１つの側面を釘４ｃと対応させる。この状態において、駆動機構９が動作し、拡幅部８が前記と同様に下降することにより、拡幅部８が釘４ｃを実線示位置より点線示位置へと押し広げる。これにより、ｂ図の間隔ｃがｄ図の間隔，ｂ’，ｃ’と大きくなる（ｂ＜ｂ’、ｃ＜ｃ’）。そして、拡幅部８が駆動機構９の動作により待機位置に戻る。
【００１８】
第４実施形態
第３実施形態では最初に拡幅部８により３つの間隔ａ〜ｃのうちの１つを広げ、次に拡幅部８を９０°回転して残りの２つの間隔を同時に広げたが、拡幅部８の左右側壁８ａ，８ｂと直交するもう１つの側面を左右側壁８ａ，８ｂに類似する傾斜面に形成し、例えば拡幅部８が間隔ａを形成する２つの釘４ａ，４ｂを図３のｃ図の実線示位置より仮想線位置へと押し広げた後、拡幅部８を回転せずにそのままの状態にしておき、テーブル３を移動することで、拡幅部８が間隔ｂ，ｃを形成する釘４ｃを図３のｄ図の実線示位置より仮想線示位置へと押し広げるようにすれば、モータ１１を省略できる。
【００１９】
第５実施形態
図４は本発明の第５実施形態であって、前述の楔状の拡幅部８に代わる拡幅部２０を示す。この拡幅部２０は、図２の駆動機構９の昇降出力端に設けられた二又状の支持部２１を有する。支持部２１は駆動機構９との間で図外のガイド機構により横方向への回転が阻止された形態で駆動機構９により昇降される。支持部２１にはねじ棒２２が回転可能に両端支持されている。ねじ棒２２には２つの雄ねじのようなねじ２３，２４が螺旋方向を互いに反対向きとして同ピッチに形成されている。例えば、一方のねじ２３の螺旋方向が右回りならば、他方のねじ２４の螺旋方向は左回りである。ねじ棒２２のねじ２３，２４のそれぞれには２つのアーム２５，２６を個別にねじ嵌合装着している。ねじ棒２２とアーム２５，２６とのねじ嵌合部分がボルト・ナット機構を構成する。アーム２５，２６は支持部２１にねじ棒２２と並列配置に設けられたガイドレール２７に摺接係合して上下方向の回転を阻止されている。支持部２１には図２の制御部２により制御されるモータ２８が取付けられている。そして、ねじ棒２２がモータ２８により一方向に回転させられることにより、２つのアーム２５，２６がガイドレール２７により回止めされつつねじ２３，２４により互いに反対方向に同じ距離だけ移動する。例えば、ねじ棒２２が或る一方向に回転駆動すると、２つのアーム２５，２６が互いに離れる方向に横移動し、ねじ棒２２が逆の他方向に回転駆動すると、２つのアーム２５，２６が互いに近づく方向に横移動する。
【００２０】
この第５実施形態の構造によれば、図４のａ図に示すように、２つのアーム２５，２６が互いに背中合わせに近づいた状態において、支持部２１が遊技盤３の釘対４に対して下降しｂ図に示す状態となる。この拡幅部２０の下降量は、第２実施形態の拡幅部８の下降量と異なり、ｂ図に示すように、アーム２５，２６の屈曲先端部が釘対４の頭部を軸部側に越えると共に支持部２１とねじ棒２２及びガイドレール２７が釘対４と干渉しない一定距離で良い。その後、ｃ図に示すように、拡幅部２０のモータ２８が一方向に回転し、２つのアーム２５，２６が互いに離れる方向に移動して釘対４を互いに外側に押し広げることにより、釘対４の釘間隔を広げることができる。それから、モータ２８が他方向に回転し、２つのアーム２５，２６がｂ図に示すように互いに近づき、モータ２８の回転が停止した後、支持部２１が上昇しａ図に示すように停止する。
【００２１】
又、この第５実施形態の構造によれば、アーム２５，２６が釘対４の頭部に接触しないようにできるので、釘対４の頭部の見栄えを確保できる。
【００２２】
第６実施形態
図５は本発明の第６実施形態の方法を示すフローチャートであって、前述のステップ１０１に相当するステップ５０１の釘打工程と、前述のステップ１０２に相当するステップ５０３の拡幅工程との間に、ステップ５０２の測定工程を付加し、この測定工程で検出された検出釘間隔により釘対の釘間隔を適切に広げる特徴を有する。
【００２３】
ステップ５０２の測定工程において遊技盤における釘対の釘間隔を検出し、その検出釘間隔と予め定められた基準釘間隔との差により調整値を求める。基準釘間隔は１個の遊技球の直径より狭い間隔として設定された値である。そして、ステップ５０３の拡幅工程において上記求められた調整値により上記遊技盤に打込まれた釘対の釘間隔を１個の遊技球の直径よりも広げる。
【００２４】
この第６実施形態の方法によれば、遊技盤にマイナスゲージに打込まれた釘対の釘間隔をその実測値に応じて広げるので、釘間隔を１個の遊技球の直径よりもより適切に調整することができる。
【００２５】
第７実施形態
図６は本発明の第７実施形態であって、ａ図は前述のステップ５０２及びステップ５０３で用いられる釘間隔調整装置を示し、ｂ図は測定手段３１における発光部３６と受光部３７との詳細を示す。
【００２６】
図６のａ図を参照し、釘間隔調整装置について説明する。釘間隔調整装置は図２のテーブル１と制御部２と拡幅手段７とに加え、測定手段３１と演算手段３２とを新たに備える。テーブル１が釘打込みの終了した遊技盤３を位置決め搭載した状態において、測定手段３１が遊技盤３の所定位置に１個の遊技球の直径よりも狭い間隔で打込まれた釘対４の釘間隔を検出し、演算手段３２が測定手段３１より入力された検出釘間隔と演算手段３２に予め定められた基準釘間隔との差により調整値を求め、拡幅手段７が演算手段３２より入力された調整値により前記遊技盤３に打込まれた釘対４の釘間隔を１個の遊技球の直径よりも広げる。
【００２７】
第７実施形態の場合、遊技盤種別信号と作業開始信号とが制御部２に入力されると、制御部２がテーブル１に搭載された遊技盤３の機種に対応する作業データ６に基づきテーブル１と測定手段３１の測定部３３と測定手段３１の駆動機構３４とを制御する。
【００２８】
制御部２がテーブル１を制御することにより、テーブル１に位置決め搭載された遊技盤３の釘対４が存在する所定位置が測定部３３の真下に位置決め停止する。この状態において、制御部２が駆動機構３４を制御することにより、駆動機構３４が測定部３３を遊技盤３の釘対４に対し昇降させる。この測定部３３が下降位置に停止する毎に釘対４の釘間隔を検出して演算手段３２に出力する。
【００２９】
測定部３３は駆動機構３４の昇降出力端に設けられた二又状の支持部３５を有する。支持部３５は駆動機構３４との間で図外のガイド機構により横方向への回転が阻止された形態で駆動機構３４により昇降される。支持部３５の二又に別れた先端部には１組の発光部３６と受光部３７とを個別に有する。発光部３６と受光部３７とはそれらの間に形成された隙間に測定対象である釘対４を非接触に取込む。
【００３０】
図６のｂ図に示すように、発光部３６は多数の発光素子３６ａを釘対４の釘間隔に沿う方向に一定間隔を以って一列配置に有し、受光部３７は発光素子３６ａと同数なる多数の受光素子３７ａを同発光素子３６ａと同一間隔を以って相対峙した一列配置に有する。そして、発光素子３６ａのそれぞれは制御部２からの指示によりレーザ光のような測定光Ｓを対向する受光素子３７ａのそれぞれに向けて照射することにより、発光素子３６ａより照射された測定光Ｓの一部が釘対４により遮断され、一列中の受光素子３７ａのうちで釘対４と対応する部分における複数の受光素子３７ａの受光量がそれ以外の受光素子３７ａの受光量より減少する。受光部３７は受光量の減少した複数の受光素子３７ａの間隔を釘対４の検出釘間隔として変換して演算手段３２に出力する。
【００３１】
演算手段３２は、検出釘間隔と基準釘間隔との差を演算し、その演算した差により調整値を求め、この求めた調整値と検出釘間隔と検査位置とを対応付けた調整値情報として記憶する。そして、測定部３３が上昇して釘対４と干渉しない待機位置に戻る。遊技盤３は釘対４を数ヶ所に有するので、測定部３３が待機位置に戻った後、遊技盤３の次の釘対４へのテーブル１の移動と測定手段３１の測定と演算手段３２の演算・記憶とが繰返される。遊技盤３に打込まれた釘対４の全部に対する測定が終了すると、制御部２が拡幅手段７に作業開始を指示する。
【００３２】
制御部２が、拡幅手段７への作業開始を指示する際、演算手段３２より調整値情報を抽出して記憶する。そして、制御部２は、テーブル１を１つの平面内の縦横に移動し、釘対４の存在する所定位置が拡幅部８の真下に位置したらテーブル１を停止する。この場合、制御部２は、演算手段３２に定めらた基準釘間隔と同じ基準釘間隔の中心位置と演算手段３２からの調整値情報より抽出した検出釘間隔の中心位置との差を位置補正値として演算し、この位置補正値により拡幅部８の中心Ｌと釘対４の釘間隔における左右方向の中心とが上下方向で同軸状に一致されるように、テーブル１の移動停止を制御する。そして、制御部２による制御により、拡幅部８が遊技盤３の釘対４に対して下降し釘対４の釘間隔を広げた後、拡幅部８が上昇する。この拡幅部８の下降量は、制御部２に記憶された調整値情報における検査位置に応じた調整値により検査位置毎に変わる。即ち、或る検査位置における検出釘間隔が小さければ、拡幅部８の下降量を多くし、その或る検査位置に対応する釘対４に対する拡幅部８の挿入量を多くし、係る釘対４の釘間隔の広げ幅を大きくする。逆に、或る検査位置における検出釘間隔が大きければ、拡幅部８の下降量を少なくし、その或る検査位置に対応する釘対４に対する拡幅部８の挿入量を少なくし、係る釘対４の釘間隔の広げ幅を小さくする。
【００３３】
第７実施形態の構造によれば、遊技盤３の所定位置に１個の遊技球の直径よりも狭い間隔で打込まれた釘対４の釘間隔を検出し、その検出釘間隔と基準釘間隔との差による調整値を求め、その調整値により前記遊技盤３に打込まれた釘対４の釘間隔を１個の遊技球の直径よりも適切に広げることができる。
【００３４】
また、この第７実施形態の構造によれば、テーブル１の移動停止に際し、拡幅部８の中心と釘対４の中心とを上下方向で同軸状に一致しており、釘対４が下降する拡幅部８により同じ傾斜角度で両側に広がるので、釘対４の広がった形態の見栄えが良くなる。
【００３５】
第２，３，７実施形態ではテーブル１が縦横に移動し、拡幅手段７或いは測定手段３１が昇降したが、テーブル１を固定式とし、拡幅手段７或いは測定手段３１が縦横移動と昇降との両方を行うようにしても良く、又は、テーブル１を昇降式、又は、テーブル１を縦横移動と昇降との両方を行うようにしても良い。
【００３６】
第７実施形態では発光素子３６ａと受光素子３７ａとが一列配置された線状アレイを用いたが、発光素子３６ａと受光素子３７ａとが格子配置された面状アレイを用いた画像処理方式でも良い。
【００３７】
第２，３，７実施形態において、テーブル１を釘打機のＸＹテーブルと兼用し、釘打機に拡幅手段７或いは測定手段３１及び演算手段３２を付加しても良い。
【００３８】
前記作業データ６は釘打データより作成しても良い。
【００３９】
【発明の効果】
本願の発明は、次のような効果を奏する。請求項１に係る遊技盤の釘間隔調整装置は、遊技盤の所定位置に１個の遊技球の直径よりも狭い間隔に定められて打込まれた釘対の存在する遊技盤が釘対を上に向けてテーブルに搭載され、駆動機構が拡幅部をテーブルに搭載された遊技盤の所定位置における釘対に対して下降し、拡幅部がテーブルに搭載された遊技盤の所定位置における釘対の釘間隔を１個の遊技球の直径よりも広げた後、駆動機構が拡幅部を上昇することによって、パチンコ機メーカにおいて、遊技盤の所定位置に１個の遊技球の直径よりも狭い間隔に定められて打込まれた釘対の釘間隔を、１個の遊技球の直径よりも機械的に広げるので、間隔検査工程並びに遊技店での釘間隔調整を容易にすることができる。請求項２に係る遊技盤の釘間隔調整装置は、遊技盤の所定位置に１個の遊技球の直径よりも狭い間隔に定められて打込まれた釘対の釘間隔をその実測値に応じて広げるので、釘間隔を１個の遊技球の直径よりもより適切に調整することができる。請求項１又は請求項２記載に係る遊技盤の釘間隔調整装置において、拡幅部は左右側面が上方より下方に行くに従って徐々に間隔を狭くなる楔状に形成されれば、構造を簡素化できる。請求項３記載に係る遊技盤の釘間隔調整装置において、拡幅部の左右側面が拡幅部の左右方向の中心に対する同一角度の斜面として形成され、拡幅部の左右方向の中心がテーブルに搭載された遊技盤の所定位置における釘対の左右方向の中心と上下方向で同軸状に一致されるように、拡幅部が駆動機構により昇降すれば、釘対が下降する拡幅部により同じ傾斜角度で両側に広がり、その釘対の広がり形態の見栄えが良くなる。請求項１又は請求項２記載に係る遊技盤の釘間隔調整装置において、拡幅部が互いに近づいたり離れたりするように互いに反対方向に移動して遊技盤の所定位置に１個の遊技球の直径よりも狭い間隔に定められて打込まれた釘対の釘間隔を広げるための一対のアームを備えれば、釘対の頭部に非接触な形態で釘間隔を広げ、釘対の頭部の見栄えを確保できる。請求項１又は請求項２記載に係る遊技盤の釘間隔調整装置において、テーブルが平面内で縦横に駆動するＸＹテーブルにより形成されれば、テーブルに平面移動を担わせ、昇降を拡幅機構に担わせて、間隔検査及び調整の作業性を向上できる。請求項２又は請求項３に係る遊技盤の釘間隔調整装置において、測定手段が、テーブルに搭載された遊技盤の所定位置における釘対の釘間隔を検出するための測定部と、測定部をテーブルに搭載された遊技盤の所定位置における釘対に対して昇降する駆動機構とを備えれば、テーブルに平面移動を担わせ、昇降を測定機構と拡幅機構とに担わせて、間隔検査及び調整の作業性を向上できる。請求項７に係る遊技盤の釘間隔調整装置において、測定部が、駆動機構で昇降される支持部と、テーブルに搭載された遊技盤の所定位置における釘対を非接触に取込むための隙間を以って相対峙するように支持部に設けられた二又に別れた先端部と、テーブルに搭載された遊技盤の所定位置における釘対の釘間隔を検出するために先端部の一方に設けられた発光部と、テーブルに搭載された遊技盤の所定位置における釘対の釘間隔を検出するために先端部の他方に設けられた受光部とを備えれば、発光部と受光部とがテーブルに搭載された遊技盤の所定位置における釘対の釘間隔を検出する際に釘対が曲がるような不都合を防止できる。
【図面の簡単な説明】
【図１】  第１実施形態の方法を示すフローチャート。
【図２】  第２実施形態の釘間隔調整装置を示す模式図。
【図３】  第３実施形態の釘間隔調整装置を示す模式図。
【図４】  第５実施形態の拡幅機構を示す模式図。
【図５】  第６実施形態の方法を示すフローチャート。
【図６】  第７実施形態の釘間隔調整装置を示す模式図。
【符号の説明】
１  テーブル
２  制御部
３  遊技盤
４  釘対
５  遊技球
７，１０  拡幅手段
８，２０  拡幅部
９  駆動機構
１１モータ
３１  測定手段
３３  測定部
３４  駆動機構
３６  発光部
３７  受光部
【図１】
0003658205.tif 000002
【図２】
0003658205.tif 000003
【図３】
0003658205.tif 000004
【図４】
0003658205.tif 000005
【図５】
0003658205.tif 000006
【図６】
0003658205.tif 000007